(57)【要約】【課題】内壁をサッカーボール型とすることにより、この内壁を構成している各パネルに取り付けたシャワーノズルが、シャワーを浴びたい人またはペットのあらゆる方向に向かうようにすることができて、簡単な構造で全身シャワーができるシャワー室１０を提供すること。【解決手段】正六角形の第１パネル１１と正五角形の第２パネル１２とを組み合わせて、略サッカーボール型の外観を有する外壁１０ａと、この外壁１０ａの内側に配管空間１３を隔てて取り付けられて、略サッカーボール型の内壁１０ｂとを備えたサッカーボール型のシャワー室１０であって、内壁１０ｂを、第１パネル１１及び第２パネル１２によって構成するとともに、これらの各第１パネル１１及び第２パネル１２の内側に、配管空間１３内の配管１４に接続されるシャワーノズル１５を露出させたこと。【選択図】図２
2006034786.tif 000002
【特許請求の範囲】
【請求項１】
正六角形の第１パネルと正五角形の第２パネルとを組み合わせて、略サッカーボール型の外観を有する外壁と、この外壁の内側に配管空間を隔てて取り付けられて、略サッカーボール型の内壁とを備えたサッカーボール型のシャワー室であって、
前記内壁を、前記第１パネル及び第２パネルによって構成するとともに、これらの各第１パネル及び第２パネルの内側に、前記配管空間内の配管に接続されるシャワーノズルを露出させたことを特徴とするサッカーボール型のシャワー室。
【発明の詳細な説明】
【技術分野】
【０００１】
本発明は、シャワー室に関し、一般人の入浴に使用できるだけでなく、例えば介護入浴用、海水浴場での水洗用、ペットである動物の洗浄用、あるいは空気洗浄用のものとして、種々な使用が可能なシャワー室に関するものである。
【背景技術】
【０００２】
シャワー室としては、特許文献１〜特許文献３において種々なものが既に提案されてきいるが、その基本は、密閉された空間内に、温水またはエアーをノズルを介して噴射するものである。
【特許文献１】特開平５−７６４５９号公報、要約、代表図
【特許文献２】特開平６−２９１００３号公報、要約、代表図
【特許文献３】特開２００３−１４４５１５号公報、要約、代表図
【発明の開示】
【発明が解決しようとする課題】
【０００３】
特許文献１に記載されている「シャワー装置」は、その要約の記載からすると、「着座姿勢の身体を高温の霧滴シャワーで包み込み、ゆったりとくつろいだ風呂入浴感を簡便安価に得る」ことを目的として、図５に示すように、「シャワー室２を構成する壁４に腰掛け３が形成されている。腰掛け３の背面となる壁４は湾曲した凹型の形状とする。また腰掛け３に着座した身体１の正面には、２００〜６００ミクロンの粒径の霧滴１３を噴射する複数のノズル１２を配置する。４５〜５０℃の湯温の霧滴がノズル１２ａ，１２ｂ，１２ｄ，１２ｅおよび１２ｃより、各々着座姿勢の身体の肩・胸・腹・足および壁４に向け噴射するよう対応している。肩・胸に噴射するノズル１２ａ，１２ｂは、水平方向に偏平な噴射パターンで上下方向に可動とする。これによってゆったりとリラックスした入浴感が得られる」ものとしたものである。
【０００４】
しかしながら、この特許文献１のシャワー装置は、「４５〜５０℃の湯温の霧滴がノズル１２ａ，１２ｂ，１２ｄ，１２ｅおよび１２ｃより、各々着座姿勢の身体の肩・胸・腹・足および壁４に向け噴射するよう対応している。肩・胸に噴射するノズル１２ａ，１２ｂは、水平方向に偏平な噴射パターンで上下方向に可動とする」必要があるため、各ノズルの噴射方向の制御を行えるようにしなければならないし、これによって全体の構造も複雑なものとなっている。
【０００５】
それだけでなく、この特許文献１のシャワー装置は、「腰掛け３の背面となる壁４は湾曲した凹型の形状」としてあるから、肝心な背中にはシャワー直接当たらないという問題があると考えられる。確かに、この特許文献１の段落００１８には、「ノズル１２ｃについては、着座部３の背面にあたる凹型形状の壁４に直接噴射するようノズル方向を設定する。ノズル１２ｃより噴射された霧滴１３ｂは、身体背面の凹形状の壁で反射し、身体１の背中側にまわり込む。したがって前方からの噴射のみにより効果的に身体全体を高温霧滴で包み込むことができる」とされてはいるが、入浴者の背中が「滝に打たれる」状態にはならなため、リラックスできるか否かは疑問である。
【０００６】
特許文献２のエアシャワー装置では、図６に示すように、「エアシャワー室１１適所に回転可能に支持された複数のエア噴出口３を有するエア噴射ノズルユニット１と、エア噴射ノズルユニット１内に設けた回転翼４と、エア噴射ノズルユニット１の軸方向に往復動可能に装着された脈動気流発生ユニット６と、を備えている」ものであるが、相当複雑な「エア噴射ノズルユニット１」を必要としているものである。
【０００７】
つまり、この特許文献２のエアシャワー装置は、相当複雑な「エア噴射ノズルユニット１」を必要としているため、そのままでは通常入浴や介護入浴に適用することはできないと考えられる。換言すれば、この特許文献２のエアシャワー装置は、当該文献２の段落００１９に記載されているように、「エア噴射ノズルユニット１によれば、回転翼４が駆動軸５のまわりに回転することにより、清浄な回転気流が発生すると共に、脈動気流発生ユニット６が中心軸に沿って往復動することにより、清浄な脈動気流が発生する。そして更に、エア噴射ノズルユニット１自体が回転することにより、そのエア噴出口３を介して回転・脈動気流が噴射される」ようにしなければないないのである。
【０００８】
特許文献３にて提案されている「シャワー式入浴装置」は、その要約の記載からすると、「温度変動がほとんど生じることなく、適温の温湯が入浴者の足下から順次浴びせられるようにして、入浴者に精神的，身体的な不快感をほとんど感じさせないようにし、機能の向上を図る」ことを目的としてなされ、図７に示すように、「入浴者をその足及び胸の位置する側を定めて横臥した状態で支持する支持体１と、支持体１を覆うシャワー室６と、シャワー室６に支持体１の長手方向に沿って列設され温湯供給部から供給される温湯を支持体１に向けて噴射する複数のシャワーノズルＮとを備え、シャワーノズルＮの温湯の噴射が、温湯供給部から供給される温湯の全流量が一定になるようにかつ入浴者に対しその足側から胸側に掛けて順に行なわれるように制御する噴射制御手段配管空間１３を設けた」という構成を有したものである。
【０００９】
しかしながら、この特許文献３の「シャワー式入浴装置」では、「シャワーノズルＮの温湯の噴射が、温湯供給部から供給される温湯の全流量が一定になるようにかつ入浴者に対しその足側から胸側に掛けて順に行なわれるように制御する噴射制御手段配管空間１３を設け」なければならないものとなっていて、相当複雑な構造のものとなっている。
【００１０】
そこで、本発明者等は、全身シャワーが可能なシャワー室を、比較的簡単な構造で構成するにはどうしたらよいか、について種々検討を重ねてきた結果、サッカーボールの形状にヒントを得て、本発明を完成したのである。
【００１１】
すなわち、本発明の目的とするところは、内壁をサッカーボール型とすることにより、この内壁を構成している各パネルに取り付けたシャワーノズルが、シャワーを浴びたい人またはペットのあらゆる方向に向かうようにすることができて、簡単な構造で全身シャワーができるシャワー室１０を提供することにある。
【課題を解決するための手段】
【００１２】
以上の課題を解決するために、本発明の採った手段は、後述する最良の形態の説明中において使用する符号を付して説明すると、
「正六角形の第１パネル１１と正五角形の第２パネル１２とを組み合わせて、略サッカーボール型の外観を有する外壁１０ａと、この外壁１０ａの内側に配管空間１３を隔てて取り付けられて、略サッカーボール型の内壁１０ｂとを備えたサッカーボール型のシャワー室１０であって、
内壁１０ｂを、第１パネル１１及び第２パネル１２によって構成するとともに、これらの各第１パネル１１及び第２パネル１２の内側に、配管空間１３内の配管１４に接続されるシャワーノズル１５を露出させたことを特徴とするサッカーボール型のシャワー室１０」
である。
【００１３】
すなわち、本発明のシャワー室１０は、図１にも示すように、その外壁１０ａの外観は略サッカーボール型となっているものであり、その中の空間を形成する内壁１０ｂも、図２に示すように、サッカーボール型としたものである。そして、これらの外壁１０ａ及び内壁１０ｂの間に形成した配管空間１３に配管１４を配置して、この配管１４に、内壁１０ｂを構成している第１パネル１１及び第２パネル１２の内側に取り付けたシャワーノズル１５を接続したものである。
【００１４】
また、このシャワー室１０において、図２に示すように、多数のシャワーノズル１５が使用されているのであるが、これらのシャワーノズル１５は、一般に市販されているものを使用すればよいことは勿論、内壁１０ｂを構成している第１パネル１１または第２パネル１２に対して直角になるように取り付ければよい。つまり、このシャワー室１０を製造するにあたっては、シャワーノズル１５を取り付けた第１パネル１１または第２パネル１２を、外壁１０ａを構成している第１パネル１１または第２パネル１２に、丁度建物の内装材を取り付けるように、順次取り付けていけばよい。この場合、各シャワーノズル１５と各配管１４に対する配管接続も適宜行うことになる。
【００１５】
勿論、本最良形態のシャワー室１０では、この中に入浴者等が入ってシャワーを浴びることになるのであるから、内壁１０ｂの下部にはある程度の平面を確保するための床面１６が形成してあり、この床面１６上に入るための入口１７が、図１にも示すように形成してある。なお、各シャワーノズル１５からの湯水やエアの噴射制御は、各シャワーノズル１５において行うようにしてもよいし、配管１４の配管方法を考慮しながら、その供給源側で行うようにしてもよい。
【００１６】
なお、配管空間１３内の各配管１４については、当該配管空間１３内にて適宜配管されるものであり、直列に接続した２〜３個のシャワーノズル１５を、一つの供給源に並列的に接続したり、複数の供給源に対して直列に接続したり、種々な配管方法が考えられる。また、各配管１４は、当該シャワー室１０外の水道等の水源やエアコンプレサに接続されることにより、必要な湯水やエアを各シャワーノズル１５からシャワー室１０内に噴射することになるのである。
【００１７】
以上のように構成したシャワー室１０で、シャワーを浴びたい人は、当該シャワー室１０外に設置した階段１０ｄを利用して入口１７から内部に入る。そこにはハンモック２０が設置してあるから、このハンモック２０上に、図２に示したように寝るのである。そして、各シャワーノズル１５から湯水またはエアが出るように、内部にあるコックを操作するか、供給源のスイッチの操作を行う。
【００１８】
各シャワーノズル１５は、サッカーボール型の内壁１０ｂを構成している第１パネル１１及び第２パネル１２に取り付けてあり、各第１パネル１１及び第２パネル１２はハンモック２０上の人に向かっているから、全てのシャワーノズル１５は湯水等をハンモック２０上の人に噴射することになるのである。つまり、このシャワー室１０は、全身にシャワーを浴びたいハンモック２０上の人が姿勢を変えたり、各シャワーノズル１５の噴射方向を回転制御したりすることは全く必要がないものとなっていて、ハンモック２０上の人は、寝たままの状態で全く動かなくても、全身シャワーが得られるのである。
【００１９】
ハンモック２０は、網目の大きいものであるから、図２に示したハンモック２０上に寝ている人の背中は、その大部分がハンモック２０の網目から露出している。従って、このハンモック２０の下方にあるシャワーノズル１５からの湯水の噴射も、ハンモック２０上の人に有効になされるものである。
【００２０】
ハンモック２０上の人を洗浄した湯水は、床面１６に形成してある排水口から下方の床下空間１８内に流れ、この床下空間１８から図示しない排水樋を通して外部に排出されることは言うまでもない。
【００２１】
このシャワー室１０は、海水浴場においても使用されるものであるが、その場合にはハンモック２０は必要なく、人は床面１６上に立ったままでシャワーを浴びればよい。このシャワー室１０は、図１に示すような独立したものであるから、シャワー水の供給源と各配管１４とを接続するだけで、季節的なものとして使用することができるのである。
【００２２】
また、このシャワー室１０は、要介護の人の入浴介助にも使用できる。その場合には、ハンモック２０に代えて、ハンモック状の網を備えた車椅子を使用することになる。この場合、車椅子は、入口１７から介助者が押し入ればよく、介助者とともに、或いは要介護者だけのシャワー浴びが当該シャワー室１０によって行えるのである。なお、前述したように、要介護者の場合には、全てのシャワーノズル１５ではなく適宜選択したものを使用するようにするとよい。
【００２３】
さらに、このシャワー室１０は、ペット洗いにも使用できる。この場合、各シャワーノズル１５からは最初は洗うための湯水を噴射させ、後に毛の乾燥のためのエアを噴射さるようにしてもよい。当該シャワー室１０は、入口１７を閉めれば密閉空間となるから、洗いを嫌がって暴れるペットの洗浄や乾燥が簡単に行える。
【発明の効果】
【００２４】
以上、詳述した通り、本発明においては、上記最良形態で例示した如く、
「正六角形の第１パネル１１と正五角形の第２パネル１２とを組み合わせて、略サッカーボール型の外観を有する外壁１０ａと、この外壁１０ａの内側に配管空間１３を隔てて取り付けられて、略サッカーボール型の内壁１０ｂとを備えたサッカーボール型のシャワー室１０であって、
内壁１０ｂを、第１パネル１１及び第２パネル１２によって構成するとともに、これらの各第１パネル１１及び第２パネル１２の内側に、配管空間１３内の配管１４に接続されるシャワーノズル１５を露出させたこと」
にその構成上の特徴があり、これにより、内壁をサッカーボール型とすることにより、この内壁を構成している各パネルに取り付けたシャワーノズルが、シャワーを浴びたい人またはペットのあらゆる方向に向かうようにすることができて、簡単な構造で全身シャワーができるシャワー室１０を提供することができるのである。
【００２５】
すなわち、このシャワー室１０は、通常の人の入浴やシャワー浴び、要介護者の介護入浴、ペットの洗浄、海水浴場でのシャワー等の種々なシャワーが、シャワーノズル１５の複雑奈制御を行わなくても十分かつ確実に行えるものである。
【００２６】
しかも、このシャワー室１０は、各シャワーノズル１５の方向制御を全く行わなくてもよいものであるから、その全体の構成を簡単にすることができ、製造することもメンテナンスを行うことも簡単にできるものとなっているのである。
【発明を実施するための最良の形態】
【００２７】
次に、上記のように構成した本発明を、図面に示した最良の形態であるシャワー室１０について説明すると、図１には、本最良形態に係るシャワー室１０の斜視図が示してある。このシャワー室１０は、その全体が略サッカーボール型となっていて、簡単に持ち運びできる形状及び大きさのものであり、設置場所においては、下側に配置される支持台１０ｃによって固定化される。また、このシャワー室１０は、図１〜図３に示した実施例１と、図４に示した実施例２とに分けられる。
【実施例１】
【００２８】
勿論このシャワー室１０は、中で人やペットがシャワーを浴びるものであるから、当該シャワー室１０内に入るための入口１７が一部に形成してある。この入口１７部分もサッカーボール型にすることも考えられるが、本最良形態では、人が立って入ることができるように、通常の形状の入口１７として、この入口１７部分のみサッカーボール型とはしていない。
【００２９】
図１で見えているのは外壁１０ａであるが、この外壁１０ａは、正六角形の第１パネル１１及び正五角形の第２パネル１２を、図３に示したように互いに連結したものを６組作成し、この６組を互いに連結することにより、図１に示したような略サッカーボール型のものとしたものである。なお、上述したように、入口１７に該当する部分には、第１パネル１１または第２パネル１２は使用していない。
【００３０】
このサッカーボール型のシャワー室１０は、その外形が略サッカーボール型となるものであるから、各第１パネル１１及び第２パネル１２は、図３に示した連結方法が基本となっている。つまり、図３の上方にて横に２枚並んだ第１パネル１１、あるいは図３の下側で縦に２枚並んだ第１パネル１１のように、正六角形の第１パネル１１は必ず２枚連続し、これらの２枚の第１パネル１１に１枚の第２パネル１２が来る配列が採用され、第２パネル１２は合計１２枚、第１パネル１１は合計２０枚が使用されるのである。その結果、このサッカーボール型のシャワー室１０は、入口１７の部分も第１パネル１１または第２パネル１２を採用したとすれば、正３２面体となるのである。
【００３１】
このサッカーボール型のシャワー室１０は、サッカーボールのように柔らかい材料によって形成するものではないから、各第１パネル１１及び第２パネル１２は支持枠によってそれぞれ裏打ちして実施してもよいものであり、この支持枠の各端面を傾斜面としておくとよい。具体的には、第１パネル１１の取付枠については、その第１パネル１１側の端面を約６９°とし、第２パネル１２側の取付枠に対して約７２°としてある。また、第２パネル１２の取付枠については、その各端面を約７２°とすればよい。
【００３２】
各第１パネル１１及び第２パネル１２は、その平面形状は異なるものの、全て平面的なものであるから保管や運搬は簡単に行える。また、各第１パネル１１及び第２パネル１２は、図３に示した連結上の基本を守りながら連結すれば、自然と図１または図２に示した略サッカーボール型のシャワー室１０が完成でき、その組立は簡単である。
【００３３】
以上は、外壁１０ａについての説明であったが、このことは、内部の内壁１０ｂについても同様である。この内壁１０ｂは、図２に示したように、外壁１０ａに対して配管空間１３を隔てた状態で取り付けられるものであり、上述した支持枠を利用したり、あるいは、配管空間１３を形成する程度の幅を有した巾木の複数を利用たりして外壁１０ａに対して取り付けたものである。
【００３４】
この内壁１０ｂを構成する各第１パネル１１または第２パネル１２には、その内側面に各シャワーノズル１５を予め取り付けておくと、外壁１０ａに対して一体化したとき、シャワーノズル１５の噴射方向を簡単に設定することができる。つまり、各シャワーノズル１５は、第１パネル１１及び第２パネル１２の内面に対して直角に取り付けておいても、各シャワーノズル１５はシャワー室１０の中心に向かうものとなる。何故なら、当該内壁１０ｂの内面も略サッカーボール型となるからである。
【００３５】
また、内壁１０ｂを外壁１０ａの内側に取り付ける前に、外壁１０ａの内面に配管１４を予め設置しておくのである。この配管１４は、各シャワーノズル１５に給水等を行うものであり、各第１パネル１１または第２パネル１２を取り付けるにあたって、これに取り付けて置いたシャワーノズル１５と配管１４とを接続しやすくするためである。勿論、配管１４の配管の仕方は種々考えられるのであり、要するに、湯水等の供給源に対する接続を考慮しながら、各シャワーノズル１５の全てに接続できるのであれば、どのような方法であってもよい。
【００３６】
本最良形態の内壁１０ｂの一部は、図２に示したように、床面１６としてあり、その下を排水のための床下空間１８としてある。この床面１６上には、人が立つこともあるし、図２に示したようなハンモック２０が設置されることもある。勿論、この床面１６には、図示はしていないが、排水口が形成してある。
【実施例２】
【００３７】
図４には、本発明の第２実施例が示してあり、この実施例２のサッカーボール型のシャワー室１０は、正六角形の複数の第１パネル１１と、この第１パネル１１の各辺と同じ長さの辺を有する正五角形の複数の第２パネル１２とを組み合わせて、内部にシャワー空間を備えた点は、上記実施例１のシャワー室１０と同様であるが、支持枠３０を採用した点で実施例１のそれとは異なっている。
【００３８】
支持枠３０は、複数の同じ長さのアングル材を両端にて互いに連結して、複数の取付開口３１を有するサッカーボール型のものとしたものであり、その各取付開口３１には、第１パネル１１及び第２パネル１２が、図４中の矢印にて示したように、取り付けられるのである。そして、この支持枠３０自体が配管空間１３を形成することになるものである。
【００３９】
この実施例２のサッカーボール型のシャワー室１０において使用する第１パネル１１及び第２パネル１２は、上記実施例１で説明したような取付枠を有したものでもよいが、支持枠３０自体が十分な剛性を有しているから、単なる第１パネル１１及び第２パネル１２のみを使用して実施してもよい。
【図面の簡単な説明】
【００４０】
【図１】本発明に係るシャワー室の斜視図である。
【図２】同シャワー室の縦断面図である。
【図３】同シャワー室の外壁または内壁を構成する基本構成を示す平面図である。
【図４】同シャワー室の第２実施例を示す斜視図である。
【図５】従来の技術を示す平面図である。
【図６】従来の他の技術を示す部分拡大断面図である。
【図７】従来のさらに別の技術を示す側面図である。
【符号の説明】
【００４１】
１０    シャワー室
１０ａ  外壁
１０ｂ  内壁
１０ｃ  支持台
１０ｄ  階段
１１    第１パネル１１
１２    第２パネル１２
１３    配管空間１３
１４    配管１４
１５    シャワーノズル１５
１６    床面１６
１７    入口１７
１８    床下空間
２０    ハンモック２０
３０    支持枠
【図１】
2006034786.tif 000003
【図２】
2006034786.tif 000004
【図３】
2006034786.tif 000005
【図４】
2006034786.tif 000006
【図５】
2006034786.tif 000007
【図６】
2006034786.tif 000008
【図７】
2006034786.tif 000009